(57)【要約】      （修正有）【課題】テーパが形成された針状毛が植毛された歯ブラシに関し、歯磨きの効率を高め、歯間及び歯周ポケット内の異物質を効果的に取り除くことができる歯ブラシを提供する。【解決手段】テーパの長さが６−１０ｍｍであり、先鋭部の直径が０．０１−０．０８ｍｍである針状毛が植毛された歯ブラシにおいて、両周縁部の針状毛１は長く、中央部の針状毛２は短く、側面から見たとき全体的に半円形をなし、両周縁部の歯ブラシ用毛１と中央部の歯ブラシ用毛２との長さの差は２−４ｍｍであることを特徴とし、柔らかい毛と硬い毛とを同時に備える。【選択図】図１
2004148095.tif 000002
【特許請求の範囲】
【請求項１】
テーパの長さが６−１０ｍｍであり、先鋭部の直径が０．０１−０．０８ｍｍである針状毛が植毛された歯ブラシにおいて、両周縁部の針状毛１は長く、中央部の針状毛２は短く、側面から見たとき全体的に半円形をなし、両周縁部の歯ブラシ用毛１と中央部の歯ブラシ用毛２との長さの差は２−４ｍｍであることを特徴とする柔らかい毛と硬い毛とを同時に備えた歯ブラシ。
【請求項２】
半円形の数は一つ又は二つ以上であることを特徴とする請求項１に記載の歯ブラシ。
【請求項３】
中央部の歯ブラシ用毛２のテーパの長さは３−４ｍｍであることを特徴とする請求項１に記載の歯ブラシ。
【請求項４】
両周縁部の歯ブラシ用毛１と中央部の歯ブラシ用毛２との長さの差は２−２．５ｍｍであることを特徴とする請求項１に記載の歯ブラシ。
【発明の詳細な説明】
【０００１】
【技術分野】
本発明は、テーパが形成された針状毛が植毛された歯ブラシに関し、より詳しくは、柔らかい毛と硬い毛とを同時に備えたテーパが形成された針状毛が植毛された歯ブラシに関する。
【０００２】
歯石及びプラークの除去効果を高め、歯磨きの時歯茎の損傷を防止するために、先鋭部にテーパが形成された毛が植毛された歯ブラシの開発以来、最近になっては、このような形態の歯ブラシは、その有効性が明らかになり大衆化の趨勢である。
【０００３】
【背景技術】
これに関する従来の技術としては、本発明者による大韓民国特許第１３０９３２号（特許文献１）、大韓民国実用新案登録第１１４７００号（特許文献２）、大韓民国特許第２６１６５８号（特許文献３）、大韓民国実用新案登録第２４４８２７号（特許文献４）、大韓民国特許第３１１３６０号（特許文献５）等を例に挙げることができる。
【０００４】
このうち、前記特許文献１の特許は、直径０．１５−０．２ｍｍのＰＢＴ製の毛を薬品で分解し、先鋭から４−８ｍｍの長さまでテーパを形成し、先鋭部の直径を０．０１−０．０３ｍｍとする技術であって、このように製造された歯ブラシ用毛が植毛された歯ブラシは、歯茎の損傷を減らし、歯茎の歯周ポケットまで歯ブラシ用毛が浸透することができ、歯周ポケット内の汚染物質と細菌を取り除くことができるだけでなく、歯間に浸透しやすいため異物質を容易に取り除くことができる利点があるが、使用者の一部は、歯ブラシ用毛が柔らかすぎて磨きごたえがないという不満を持つこともある。
【０００５】
前記特許文献２の実用新案は、一側はテーパの長さが先鋭から１／４の地点（歯ブラシ用毛の長さが３２ｍｍである場合は８ｍｍ）、他側は１／８の地点（歯ブラシ用毛の長さが３２ｍｍである場合は４ｍｍ）までテーパを形成することにより、結果的に、両側がテーパが形成された長さがお互いに異なる（８ｍｍ、４ｍｍ）歯ブラシ用毛を得、該歯ブラシ用毛を植毛することにより、歯石及びプラークの除去機能はそのまま維持しながら、ある程度の硬さを与えたものである。
【０００６】
前記特許文献３の特許は、ＰＢＴ製の毛を前記特許文献１と同様の方法で製造し、直径を０．０４−０．０８ｍｍとし、テーパの形成方法において、物理的方法と化学的方法とを結合して生産費を節減した。これによって得られた歯ブラシは、硬いナイロン製の毛に慣れていた使用者は選好するが、比較的直径が大きいため歯周ポケット内の異物質を取り除くには足りない欠点がある。
【０００７】
前記特許文献４の実用新案は、歯ブラシ用毛の先鋭部の直径を０．０２−０．０３ｍｍとすることにより歯周ポケット内への浸透を容易にし、毛に硬さを与えるためテーパが形成された歯ブラシ用毛の長さを３．５ｍｍ以下に縮めた。これにより、硬さ、歯石除去能、及び歯周ポケット浸透能等において比較的満足な結果を得た。
【０００８】
前記特許文献５の特許は、歯と歯の間及び歯周ポケット内への浸透をより容易にするために、通常の高さに両面にテーパが形成された歯ブラシ用毛が植毛された歯ブラシにおいて、高さ１−１０ｍｍの一つ以上の突出部を形成させ、歯間歯ブラシの役割を果たすようにした。
【０００９】
以上のような特性の歯ブラシ用毛が植毛された歯ブラシは、各々別途の製品として生産販売されているが、これらの特性を複合的に備えた歯ブラシは今まで出現していない。
【００１０】
【先行技術】
【特許文献１】大韓民国特許第１３０９３２号
【特許文献２】大韓民国実用新案登録第１１４７００号
【特許文献３】大韓民国特許第２６１６５８号
【特許文献４】大韓民国実用新案登録第２４４８２７号
【特許文献５】大韓民国特許第３１１３６０号
【００１１】
【発明が解決しようとする課題】
本発明は、テーパが形成された歯ブラシ用毛が植毛された歯ブラシにおいて、柔らかさと硬さとを同時に備え、かつ歯周ポケット内への浸透が容易な歯ブラシ用毛が植毛された歯ブラシを提供することを目的とする。
【００１２】
本発明の他の目的は、多様な機能を発揮し、かつ生産が容易なテーパが形成された歯ブラシ用毛が植毛された歯ブラシを提供することである。
【００１３】
【課題を解決するための手段】
本発明は、テーパの長さが６−１０ｍｍであり、先鋭部の直径が０．０１−０．０８ｍｍである針状毛が植毛された歯ブラシにおいて、針状毛の先鋭部が、側面から見たとき全体的に半円形をなすように切断加工されたものから構成される。
【００１４】
以下、本発明について詳述する。
図１は、本発明による歯ブラシの歯ブラシ用毛を側面から見た拡大図である。
歯ブラシ用毛の両周縁の歯ブラシ用毛１は、最初植毛された歯ブラシ用毛がそのまま維持され、全体の長さは通常の歯ブラシ用毛と同じように２５−３２ｍｍであり、テーパの長さは６−１０ｍｍ、直径は０．０１−０．０８ｍｍである。このような歯ブラシ用毛は柔らかさを与え、歯周ポケットへの浸透能が非常に優れている。テーパの長さがこの範囲未満の場合は、硬すぎるためごわごわした感じがする問題点があり、この範囲を超える場合は、柔らかすぎるため寿命が短く硬さが足りない問題点がある。直径がこの範囲未満の場合は、耐磨耗性が弱い問題点があり、この範囲を超える場合は、硬すぎるため歯茎を傷つける問題点がある。
【００１５】
両周縁から中央に行くほど、だんだん多い部分が切断され、中央部の歯ブラシ用毛２は一番多い部分が切断されて全体の長さ及びテーパの長さが一番短い。この部分は歯ブラシ用毛に硬さを与える。中央部の歯ブラシ用毛のテーパの長さは３−４ｍｍであり、この範囲未満の場合は、硬すぎになる問題点があり、この範囲を超える場合は、硬さが足りないため研磨力が低下する問題点がある。
【００１６】
両周縁の歯ブラシ用毛と中央部の歯ブラシ用毛との長さの差は２−４ｍｍ、より望ましくは２−２．５ｍｍである。この範囲未満の場合は、柔らかすぎるため研磨力が足りない問題点があり、この範囲を超える場合は、歯磨きの時歯茎を傷つけるおそれがある。
【００１７】
図２は、本発明による歯ブラシの他の実施例の側面拡大図である。図１とは異なり、図２においては、歯ブラシ用毛が二つの半円形をなすように切断されている。このように構成された歯ブラシにおいては、両周縁及び中央部の歯ブラシ用毛は、適切な柔らかさを有するとともに、歯周ポケット内への浸透能が優れ、中央部と両周縁の間に位置する歯ブラシ用毛は、適切な硬さを有することにより、歯牙表面に対して良好な研磨力又は洗浄力を有するようになる。
【００１８】
なお、半円形に切断された歯ブラシ用毛は、歯牙と類似した曲率半径を有するため、通常の歯ブラシに比べ、歯磨きの時歯ブラシ用毛と歯牙との接触面積が広くなり、歯磨きの効率を高めるようになる。これは通常の毛を半円形に加工したものと同じ効果である。
【００１９】
切断及び加工方法は、まず針状毛が植毛された歯ブラシの表面を刀で半円形に切断した後、先鋭部にテーパを形成するためにサンドペーパーで研磨する。研磨の程度は、前述したようなテーパの長さ及び直径を有するように行う。
【００２０】
【発明の効果】
以上のように構成された本発明の歯ブラシは、適切な柔らかさと硬さとを同時に備えるだけでなく、歯ブラシ用毛の長さとテーパの長さが他の部分（特に、中央部）に比べて相対的に長い両周縁部の歯ブラシ用毛は、歯間及び歯周ポケット内への浸透が容易であるため、歯間及び歯周ポケット内の異物質の除去に非常に効果的であり、歯ブラシ用毛の長さとテーパの長さが他の部分（特に、両周縁部）に比べて相対的に短い中央部の歯ブラシ用毛は、適切な硬さを有することにより、歯牙表面の研磨力又は洗浄力が優れている。また、半円形の表面は、歯牙の曲率半径と類似して歯磨きの効率を高めることができる。
【００２１】
一方、加工方法においても、半円形の刀で簡単に切断加工することができるので、従来の一部のみに長い歯ブラシ用毛が形成されるようにする方法に比べ、非常に簡単であり、これを通じて作業性を向上させることができる。
【図面の簡単な説明】
【図１】本発明による歯ブラシの側面拡大図である。
【図２】本発明による歯ブラシの他の実施例の側面拡大図である。
【符号の説明】
１．周縁部の針状毛
２．中央部の針状毛
３．歯ブラシの柄
【図１】
2004148095.tif 000003
【図２】
2004148095.tif 000004